(57)【要約】【課題】  抵抗の強弱を調整することが容易な、ボビンノットを作るのに適した釣具加工用具を提供する。【解決手段】  釣用ラインが巻き付けられる巻付部２１を有する回転体２と、前記回転体２を支軸３１によって回転自在に支持するアーム部３と、前記アーム部３に設けられ、前記回転体２の巻付部２１から離隔した位置に釣用ラインを案内する案内部４と、前記回転体２に対して制動面５１を接触させ、回転体２と制動面５１との接触部分の圧力を増減させることにより回転体２に生じる摩擦力を増減させる制動力調整手段と、を備える。制動力調整手段は、回転体２に対して制動面５１を接触させており、回転体２と制動面５１との接触部分の圧力を増減させて回転体２に生じる摩擦力を増減させることによって、回転体２の抵抗の強弱を容易に調整することができる。【選択図】  図１
2006238739.tif 000002
【特許請求の範囲】
【請求項１】
釣用ラインが巻き付けられる巻付部を有する回転体と、
前記回転体を支軸によって回転自在に支持するアーム部と、
前記アーム部に設けられ、前記回転体の巻付部から離隔した位置に釣用ラインを案内する案内部と、
前記回転体に対して制動面を接触させ、回転体と制動面との接触部分の圧力を増減させることにより回転体に生じる摩擦力を増減させる制動力調整手段と、
を備えたことを特徴とする釣具加工用具。
【請求項２】
回転体は、支軸が貫通する軸孔の周囲に摩擦面を有し、
制動力調整手段は、前記摩擦面に対向させた制動面を備えたことを特徴とする請求項１に記載の釣具加工用具。
【請求項３】
制動力調整手段は、調整部材を有し、前記調整部材は支軸に螺合されるとともに、回転体と調整部材とで制動面を挟持しており、調整部材を回転させることによって回転体に対して離接して、回転体と制動面との接触部分の圧力を増減させ、回転体に生じる摩擦力を増減させることを特徴とする請求項１から２のいずれか１項に記載の釣具加工用具。
【請求項４】
回転体は、開放端部が形成されたウエイト収容空間を備え、
前記開放端部からウエイト収容空間内に出入自在に収容できるウエイトと、
前記開放端部の一部又は全部を閉止する閉止部材と、を備えたことを特徴とする請求項１から３のいずれか１項に記載の釣具加工用具。
【請求項５】
案内部の開口部は、回転体の巻付部からの距離を調整できることを特徴とする請求項１から４のいずれか１項に記載の釣具加工用具。
【請求項６】
回転体は、釣用ラインの先端部を係止する糸止め部を備えたことを特徴とする請求項１から５のいずれか１項に記載の釣具加工用具。
【請求項７】
回転体は、巻付部に滑り止め部を設けたことを特徴とする請求項１から６のいずれか１項に記載の釣具加工用具。
【発明の詳細な説明】
【技術分野】
【０００１】
本発明は、釣具加工用具に関し、より詳しくは、釣用ラインを結束するためなどに使用する釣具加工用具に関する。
【背景技術】
【０００２】
例えば海のルアーフィッシングでは、釣用ラインとしてのメインラインに直接ルアーを結束せず、メインラインの先端部にリーダーと呼ばれる強度の高い別の釣用ラインを結束し、ルアーはそのリーダーの先端部に結束することが多い。ラインとライン、ラインとルアー等との結束部、あるいは結束方法をノットという。
【０００３】
ノットには伝統的なものから個人が独自に案出したものまで、様々なものが存在する。いずれのノットにも長所と短所があるが、ノットで重要なことは、強度が高いこと、結束作業が簡単であること、結束作業が迅速であること、である。また、同じノットであっても、作業者の習熟度によって強度や結束作業のスピードには大きな差異が生じる。
【０００４】
メインラインとリーダーとを結束するノットのうち、釣り愛好者の間で「ボビンノット」と呼ばれるノットが知られている。ボビンノットはパックラットノットなどと呼ばれる場合もある。ボビンノットは道具を用いて結束するため、作業者の習熟度に関わらず、比較的容易に強度の高いノットを作ることができ、比較的結束作業が簡単で迅速である。このため、ボビンノットは、メインラインとリーダーとを結束するノットとしてよく用いられている。ボビンノットに使用される道具は、ボビンとボビンホルダーである。ボビンとボビンホルダーはフライフィッシング等で用いられるものを利用する（例えば、図８、特許文献１参照。）。以下に、代表的なボビンノットの手順について説明する。
【０００５】
まず、図９に示すように、ボビン８１とボビンホルダー８２の準備を行なう。ボビン８１は、中心部に設けられている穴にオモリ等を入れ、重量を増加させたものを用いる。ボビンホルダー８２の導管８３にメインライン９２を通す。メインライン９２は導管８３の先端側から通す。導管８３を通したメインライン９２はボビンホルダー８２のアーム８４に適当な回数で巻き付ける。メインライン９２をアーム８４に巻き付けてから、メインライン９２の先端部をボビン８１に固定する。ボビン８１を数回転させてメインライン９２をボビン８１に巻き付ける。
【０００６】
ここで、メインライン９２をボビンホルダー８２のアーム８４に巻き付けるのは、メインライン９２に抵抗を生じさせるためである。メインライン９２に抵抗を生じさせる理由は、後に説明するように、メインライン９２を導管８３の先から引き出しにくくして、リーダー９３をメインライン９２で締め付ける場合の締め付け力を付与するためである。
【０００７】
ボビン８１とボビンホルダー８２の準備を行なった後、図１０に示すように、メインライン９２とリーダー後端部９３ａ（ノットとなる側）とを合わせて一方の手指で把持する。メインライン９２を把持する位置は、導管８３の先から１０ｃｍ程度の位置とする。リーダー９３の途中部分を他方の手指で把持する。リーダー後端部９３ａを上にし、メインライン９２とリーダー９３とが上下方向になるように保持する。ボビンホルダー８２をリーダー９３の周りに軽く振りまわすようにして回転させ、リーダー後端部９３ａから５ｃｍ乃至１０ｃｍ程度の範囲に螺旋状にメインライン９２を巻き付ける。図１１に示すように、巻き終わり部分は手指で把持する。
【０００８】
次に、図１２に示すように、メインライン９２を巻き付けたリーダー９３を水平方向に張った状態に保持する。図１３に示すように、両手でリーダー９３を振って、ボビンホルダー８２をリーダー９３の周りに回転させる。回転させると、ボビン８１とボビンホルダー８２に作用する遠心力によってメインライン９２が導管８３の先から少しずつ引き出される。リーダー９３にすでに巻き付けたメインライン９２とリーダー９３とを締め付けながら、メインライン９２をリーダー後端部９３ａ側に向けて巻き付けていく。このとき、導管８３の先端を常にリーダー９３に接近させた状態を保ちながらボビンホルダー８２を回転させるようにする。
【０００９】
ボビンホルダー８２がリーダー後端部９３ａまで達したら巻き付けを終了する。巻き付け回数は、１５０回程度である。巻き付けた部分が解けないように手指で把持し、ボビン８１に残ったメインライン９２（以下、「メインライン９２端線」という。）はボビン８１から引き抜いて外す。メインライン９２端線は、リーダー後端部９３ａに対して、数回ハーフヒッチで編み付ける（図示省略）。さらにメインライン９２にメインライン９２端線を１０回ほどハーフヒッチで編み付ける（図示省略）。メインライン９２端線とリーダー後端部９３ａの残余部分をカットして、ボビンノットは完成する。
【００１０】
以上説明したボビンノットの強度を確保する上で重要なことは、第１に、メインライン９２に適切な締め付け力を付与してリーダー９３を締め付けることであり、第２に、導管８３の先端を常にリーダー９３に接近させた状態を保ちながらボビンホルダー８２を回転させることである（図１３参照）。
【００１１】
このうち、メインライン９２に付与する締め付け力は、メインライン９２の強度が強い程、あるいはリーダー９３の直径が太い程、強い締め付け力にすることが必要である。この締め付け力は、ボビンホルダー８２とボビン８１に作用する遠心力によって発生するものであるから、ボビン８１の重量を増加させたり、ボビンホルダー８２の回転速度を増加させて遠心力を増大させることによって、締め付け力を強くすることができる。
【００１２】
また、導管８３の先端を常にリーダー９３に接近させた状態を保ちながらボビンホルダー８２を回転させることが重要なのは、この状態で回転させることによって、メインライン９２をリーダー９３に対して間隔を開けず密に巻き付けることができるからである（図１３参照）。メインライン９２を密に巻き付けることができないと、メインライン９２の巻き付け部分がずれて締め付け力が低下し、ボビンノットの強度を低下させてしまうこととなる。
【００１３】
上記のように、ボビンノットでは、メインライン９２に適切な締め付け力を付与し、かつ、導管８３の先端を常にリーダー９３に接近させた状態を保ちながらボビンホルダー８２を回転させる必要があるが、そのためには、メインライン９２の抵抗の強弱を調整することが極めて重要となる。
【００１４】
すなわち、メインライン９２の抵抗が弱い場合は、ボビン８１とボビンホルダー８２の重量や回転によってメインライン９２が簡単に引き出されてしまう。このため、導管８３の先端を常にリーダー９３に接近させた状態でボビンホルダー８２をリーダー９３の周りに回転させるようにすると、ボビンホルダー８２に遅い回転しか与えられず遠心力が不足して締め付け力が不足し、ボビンノットの強度を確保することはできない。
【００１５】
反対に、締め付け力を確保するように速く回転させると、導管８３の先端がリーダー９３から離隔してしまい、メインライン９２をリーダー９３に対して間隔を開けず密に巻き付けることができない。この場合もボビンノットの強度を確保することはできない。
【００１６】
また、メインライン９２の抵抗が強い場合は、ボビンホルダー８２を回転させてもメインライン９２は引き出されにくい。この場合は、導管８３の先端ではなく中間部がリーダー９３に接近した状態となり、メインライン９２をリーダー９３に対して間隔を開けず密に巻き付けることができないばかりか、ボビンホルダー８２の回転が円滑でなくなり、その結果、ボビンノットを作ることは困難となる。
【００１７】
従って、メインライン９２の抵抗の強弱は、ボビン８１とボビンホルダー８２の重量の軽重、回転速度に応じて調整しなければならない。例えば、ボビン８１の重量を増加させたり、ボビンホルダー８２の回転速度を増加させると、遠心力は増加するため、抵抗を強くする必要がある。反対に、ボビン８１の重量を減少させたり、ボビンホルダー８２の回転速度を減少させると、遠心力は低下するため、抵抗を弱める必要がある。
【００１８】
【特許文献１】特開平１１−１６９０４９号公報
【発明の開示】
【発明が解決しようとする課題】
【００１９】
上記のように、ボビンノットでは、メインライン９２に生じさせる抵抗の強弱の調整が極めて重要である。しかしながら、ボビン８１とボビンホルダー８２を用いた従来の方法では、メインライン９２をボビンホルダー８２のアーム８４に巻き付けることによって抵抗を生じさせている。抵抗の強弱は、巻き付け回数を増減させることによって調整しなければならない。このため、ボビン８１とボビンホルダー８２の準備を全て行なった後、再度抵抗の強弱を調整する場合には、一旦メインライン９２をボビン８１から全部引き抜き、巻き付け回数を増減させてから再度ボビン８１とボビンホルダー８２の準備を行なわなければならない。従って、抵抗の強弱の調整が極めて重要であるにも関わらず、抵抗の強弱を調整することは非常に手数を要するという問題があった。
【００２０】
また、ボビンノットでは、メインライン９２による締め付け力は、ボビンホルダー８２とボビン８１に作用する遠心力によって発生するものであるが、ボビン８１とボビンホルダー８２を用いた従来の方法では、メインライン９２の締め付け力を調整するためにボビン８１とボビンホルダー８２の重量を増減させることが困難であるという問題があった。
【００２１】
本発明は、前記の問題点に鑑みてなされたものであって、その第１の目的は、抵抗の強弱を調整することが容易な、ボビンノットを作るのに適した釣具加工用具を提供することにある。また、第２の目的は、重量を調整することが容易で、ボビンノットを作るのに適した釣具加工用具を提供することにある。
【課題を解決するための手段】
【００２２】
前記目的を達成するため、請求項１に記載の発明では、
釣用ラインが巻き付けられる巻付部を有する回転体と、
前記回転体を支軸によって回転自在に支持するアーム部と、
前記アーム部に設けられ、前記回転体の巻付部から離隔した位置に釣用ラインを案内する案内部と、
前記回転体に対して制動面を接触させ、回転体と制動面との接触部分の圧力を増減させることにより回転体に生じる摩擦力を増減させる制動力調整手段と、
を備えた。
【００２３】
請求項２に記載の発明では、請求項１に記載の発明において、
回転体は、支軸が貫通する軸孔の周囲に摩擦面を有し、
制動力調整手段は、前記摩擦面に対向させた制動面を備えた。
【００２４】
請求項３に記載の発明では、請求項１から２のいずれか１項に記載の発明において、
制動力調整手段は、調整部材を有し、前記調整部材は支軸に螺合されるとともに、回転体と調整部材とで制動面を挟持しており、調整部材を回転させることによって回転体に対して離接して、回転体と制動面との接触部分の圧力を増減させ、回転体に生じる摩擦力を増減させることとした。
【００２５】
請求項４に記載の発明では、請求項１から３のいずれか１項に記載の発明において、
回転体は、開放端部が形成されたウエイト収容空間を備え、
前記開放端部からウエイト収容空間内に出入自在に収容できるウエイトと、
前記開放端部の一部又は全部を閉止する閉止部材と、を備えた。
【００２６】
請求項５に記載の発明では、請求項１から４のいずれか１項に記載の発明において、案内部の開口部は、回転体の巻付部からの距離を調整できることとした。
【００２７】
請求項６に記載の発明では、請求項１から５のいずれか１項に記載の発明において、回転体は、釣用ラインの先端部を係止する糸止め部を備えた。
【００２８】
請求項７に記載の発明では、請求項１から６のいずれか１項に記載の発明において、回転体は、巻付部に滑り止め部を設けた。
【００２９】
（作用）
従って、請求項１に記載の発明によれば、制動力調整手段は、回転体に対して制動面を接触させているため、回転体には摩擦力が生じる。回転体と制動面との接触部分の圧力を増減させることにより回転体に生じる摩擦力が増減する。このため、回転体の抵抗の強弱を容易に調整することができる。
【００３０】
請求項２に記載の発明によれば、制動力調整手段は、回転体の摩擦面に対して制動面を接触させているため、回転体には摩擦力が生じる。回転体の摩擦面と制動面との接触部分の圧力を増減させることにより回転体の摩擦面に生じる摩擦力が増減する。このため、回転体の抵抗の強弱を容易に調整することができる。
【００３１】
請求項３に記載の発明によれば、制動力調整手段は、調整部材を回転させることによって回転体に対して離接して、回転体と制動面との接触部分の圧力を増減させる。これにより、回転体に生じる摩擦力が増減する。このため、回転体の抵抗の強弱を容易に調整することができる。
【００３２】
請求項４に記載の発明によれば、回転体はウエイト収容空間を備え、ウエイト収容空間にウエイトを収容し、開放端部を閉止してウエイトが不用意に抜脱することを防止するため、回転体の重量を増減させて釣具加工用具の重量の調整を容易に行うことができる。
【００３３】
請求項５に記載の発明によれば、案内部の開口部は、回転体の巻付部からの距離を調整できる。このため、案内部の開口部から重心位置までの距離を調整することができる。
【００３４】
請求項６に記載の発明によれば、釣用ラインの先端部を係止する糸止め部を備えたため、釣用ラインの先端部を迅速に係止することができる。
【００３５】
請求項７に記載の発明によれば、巻付部には滑り止め部が設けられているため、釣用ラインを巻付部に巻き付ける際に釣用ラインが滑りにくく、また、巻き付けられた釣用ラインは巻付部に対して滑りにくくなる。
【発明の効果】
【００３６】
以上詳述したように請求項１から請求項７に記載の発明によれば、釣用のメインラインとリーダーとを結束するボビンノットを作る場合、回転体の抵抗の強弱を容易に調整することができるため、メインラインの抵抗の強弱を容易に調整することができる。従って、強度の高いボビンノットを容易に作ることができる。
【００３７】
請求項４に記載の発明によれば、回転体の重量を増減させて釣具加工用具の重量の調整を容易に行うことができる。このため、ボビンノットに使用する場合、遠心力の強弱を容易に調整することができ、メインラインに適切な締め付け力を付与することができる。また、異なる重量の回転体を複数用意する必要もない。従って、強度の高いボビンノットを容易に作ることができる。
【００３８】
請求項５に記載の発明によれば、案内部の開口部から重心位置までの距離を調整することができる。このため、ボビンノットに使用する場合、遠心力の強弱を容易に調整することができ、メインラインに適切な締め付け力を付与することができる。従って、強度の高いボビンノットを容易に作ることができる。
【００３９】
請求項６に記載の発明によれば、回転体は、釣用ラインの先端部を係止する糸止め部を備えたため、釣用ラインの先端部を迅速に係止することができる。このため、ボビンノットに使用する場合、回転体へのメインラインの巻き付けを迅速に行うことができ、ボビンノットを迅速に作ることができる。
【００４０】
請求項７に記載の発明によれば、巻付部には滑り止め部が設けられているため、釣用ラインを巻付部に巻き付ける際に釣用ラインが滑りにくく、巻付部に釣用ラインを巻き付け易くなる。また、巻き付けられた釣用ラインは巻付部に対して滑りにくくなり、糸止め部に力が加わりにくくなり、釣具加工用具の使用中に釣用ラインが糸止め部から不用意に抜脱することを防止することができる。
【発明を実施するための最良の形態】
【００４１】
本発明を具体化した実施形態について図１から図７に従って説明する。
【実施例１】
【００４２】
本発明の実施例１に係る釣具加工用具１について図１から図５及び図７に従って説明する。図１に示すように、実施例１に係る釣具加工用具１は、回転体２、アーム部３、案内部４及び制動面５１を有する。
【００４３】
前記回転体２は、釣用ラインを巻付けるとともに、釣具加工用具１の重量を調整する部分である。図４に示すように、回転体２は巻付部２１と摩擦面２２とを有する。回転体２の外形は略円柱形状である。側面にあたる部分が巻付部２１である。底面にあたる部分が摩擦面２２である。回転体２の素材はアルミニウム、ステンレス等の金属素材や合成樹脂素材を使用することができる。
【００４４】
前記巻付部２１は釣用ラインが巻き付けられる部分である。巻付部２１には、滑り止め部２９が設けられる。滑り止め部２９は、釣用ラインが不用意に滑ることを防止する部分である。滑り止め部２９として、シリコンゴムの管体を嵌めている。滑り止め部２９は、巻付部２１に部材を嵌める手段によるほか、巻付部２１にゴム系塗料等を塗布する手段や、巻付部２１の表面に細溝やローレットを形成する手段等によって設けることができる。
【００４５】
前記摩擦面２２は制動面５１が接触する部分である。摩擦面２２の略中央部には回転体２を貫通する軸孔２６が形成されている。軸孔２６の周囲には摩擦面２２が形成される。
【００４６】
図４に示すように、前記回転体２は、前記軸孔２６の周囲にウエイト収容空間２３が形成されている。ウエイト収容空間２３は後記ウエイト２５を収容、抜脱して回転体２の重量を増減させ、釣具加工用具１の重量の調整を行う部分である。ウエイト収容空間２３は一端側が開放された開放端部２４となっており、他端は閉塞されている。
【００４７】
ウエイト２５は前記ウエイト収容空間２３に収容、抜脱され、回転体２の回転体２の重量を増減させ、釣具加工用具１の重量の調整を行う部分である。図２に示すように、ウエイト２５は、ウエイト収容空間２３に収容、抜脱自在の形状を有している。回転体２の重量の増減は、前記ウエイト収容空間２３に収容するウエイト２５の数量を増減することによって行なう。
【００４８】
図４に示すように、前記回転体２は、糸止め部２７を備えている。糸止め部２７は、釣用ラインの先端部を係止するため部材である。糸止め部２７は溝部（図示せず）と、２本の環状の弾性部材２８とからなる。前記溝部は回転体２の巻付部２１に形成される。溝部の幅は２本の環状の弾性部材２８が収容される幅を有する。２本の環状の弾性部材２８は溝部に嵌め込まれ、互いに密着するように取り付けられる。
【００４９】
前記アーム部３は、前記回転体２を支持し、後記案内部４を設ける部分である。図２に示すように、アーム部３の一端部には、支軸３１が突設されている。支軸３１は前記回転体２を貫通し、回転体２を回転自在に支持する部分である。支軸３１の先端部には雄ネジが形成されている。一方、図２、図３に示すように、アーム部３の他端部には、アーム部３の厚み方向にスリット３２が形成される。スリット３２の内側には、後記案内部４を挿通する挿通部３３を形成している。挿通部３３が形成される方向は、支軸３１と略直交する方向である。また、前記挿通部３３の両側にはスリット３２を貫通する案内部調整用ボルト３４が設けられる。前記案内部調整用ボルト３４を締めることにより、スリット３２の間隔を狭くすることができる。
【００５０】
前記案内部４は前記回転体２に巻き付けられる釣用ラインを案内する部分である。図１に示すように、案内部４は管状であり、内部には釣用ラインが挿通できる空間が確保されている。案内部４の両端部分には開口部４１を有する。開口部４１の周縁部分には、釣用ラインを傷付けないようにするため、セラミック等の素材で形成された滑らかで硬質のリングが設けられている（図示せず）。案内部４は前記アーム部３のスリット３２に形成した挿通部３３に挿通する。前記案内部調整用ボルト３４を締めることにより、スリット３２の間隔を狭くして案内部４を挟持する。案内部４のスリット３２からの突出量を調整する場合は案内部調整用ボルト３４を緩め、案内部４の位置を調整したのち案内部調整用ボルト３４を締めることにより行なう。
【００５１】
制動力調整手段は、制動環体５及び調整部材６を有する。前記制動環体５は、制動面５１を有し、前記回転体２の摩擦面２２に前記制動面５１を接触させて、回転体２に摩擦力を生じさせる部材である。図２に示すように、制動環体５は、金属素材を用いており、円盤状である。中央には前記支軸３１に遊嵌されうる貫通孔５２が形成されている。支軸３１には、第１の制動環体５を支持させ、次いで回転体２を支持させ、さらに第２の制動環体５を支持させる。支軸３１に回転体２と制動環体５とを支持させ、摩擦面２２に対向して接触する面が制動環体５の制動面５１となる。尚、制動環体５は、回転体２に接触することによって、回転体２に形成されたウエイト収容空間２３の開放端部２４を閉止する閉止部材としての役割を有する。
【００５２】
前記調整部材６は、回転体２の摩擦面２２と制動面５１との接触部分の圧力を増減させる部材である。調整部材６には、支軸３１に形成された雄ネジに螺合する雌ネジが形成されている。図２、図３に示すように、表面には、調整部材６を手指によって回転させるためのツマミ部６１が形成されている。調整部材６を支軸３１に螺合させ、締め込んでいくに従って、回転体２の摩擦面２２と制動面５１との接触部分の圧力は増加し、回転体２に生じる摩擦力は増加する。反対に調整部材６を緩めるに従って、回転体２の摩擦面２２と制動面５１との接触部分の圧力は減少し、回転体２に生じる摩擦力は減少する。
【００５３】
次に本実施例に係る釣具加工用具１を用い、釣用ラインとしてのメインライン９２とリーダー９３とで代表的なボビンノットを作る場合について説明する。
【００５４】
まず、釣具加工用具１の準備を行なう。調整部材６と制動環体５とを支軸３１から外し、回転体２のウエイト収容空間２３の開放端部２４を露出させる。開放端部２４からウエイト収容空間２３にウエイト２５を収容または抜脱して回転体２の重量を増減させ、釣具加工用具１の重量の調整を行う。釣具加工用具１の重量は、メインライン９２の強度が強い程、あるいはリーダー９３の直径が太い程、重くする。図７にメインライン９２の強度（号数）に対応する釣具加工用具１の重量のおおよその目安を示す。その後、支軸３１に制動環体５を通し、調整部材６を支軸３１に螺合させる。
【００５５】
図５に示すように、メインライン９２は案内部４の先端側の開口部４１から通す。メインライン９２の先端部は回転体２に係止する。メインライン９２の係止は、回転体２の糸止め部２７の弾性部材２８が互いに密着している部分にメインライン９２を巻き付けて、糸止め部２７の弾性部材２８にメインライン９２の先端部を挟持させればよい。糸止め部２７はメインライン９２の先端部を迅速に係止することができるため、釣具加工用具１の準備を迅速に行なうことができ、ボビンノットを迅速に作ることができる。
【００５６】
回転体２の巻付部２１にメインライン９２を巻き付けるには、調整部材６の側方から手指でメインライン９２を把持して巻き付ける。調整部材６の側方からメインライン９２を巻き付ければ、アーム部３がないためアーム部３が邪魔にならずにメインライン９２を巻き付けることができる。また、巻付部２１には滑り止め部２９が設けられているため、メインライン９２を巻付部２１に巻き付ける際にメインライン９２が滑りにくく、巻付部２１にメインライン９２を巻き付けることが容易である。また、巻き付けられた釣用ラインは巻付部に対して滑りにくくなり、糸止め部に力が加わりにくくなり、釣具加工用具の使用中に釣用ラインが糸止め部から不用意に抜脱することを防止することができる。
【００５７】
メインライン９２の抵抗の調整は、調整部材６を回転させることによって行なう。調整部材６を回転させることによって回転体２に対して離接して、回転体２と制動面５１との接触部分の圧力を増減させる。これにより、回転体２に生じる摩擦力が増減し、回転体２の抵抗の強弱を容易に調整することができる。メインライン９２の抵抗は、メインライン９２の強度が強い程、あるいはリーダー９３の直径が太い程、強くする。図７にメインライン９２の強度（号数）に対応するメインライン９２の抵抗のおおよその目安を示す。
【００５８】
釣具加工用具１の準備を行なった後、メインライン９２とリーダー後端部９３ａ（ノットとなる側）とを合わせて一方の手指で把持する（図１０参照）。メインライン９２を把持する位置は、案内部４の先から１０ｃｍ程度の位置とする。リーダー９３の途中部分を他方の手指で把持する。リーダー後端部９３ａを上にし、メインライン９２とリーダー９３とが上下方向になるように保持する。釣具加工用具１をリーダー９３の周りに軽く振りまわすようにして回転させ、リーダー後端部９３ａから５ｃｍ乃至１０ｃｍ程度の範囲に螺旋状にメインライン９２を巻き付ける。巻き終わり部分は手指で把持する（図１１参照）。
【００５９】
次に、メインライン９２を巻き付けたリーダー９３を水平方向に張った状態に保持する。案内部４の先端はリーダー９３に接触させる（図１２参照）。両手でリーダー９３を振って、釣具加工用具１をリーダー９３の周りに回転させる（図１３参照）。
【００６０】
釣具加工用具１をリーダー９３の周りに回転させると、釣具加工用具１に作用する遠心力によってメインライン９２が案内部４の先端側の開口部４１から少しずつ引き出される。リーダー９３にすでに巻き付けたメインライン９２とリーダー９３とを締め付けながら、メインライン９２をリーダー後端部９３ａ側に向けて巻き付けていく。また、案内部４の先端側の開口部４１を常にリーダー９３に接近させて釣具加工用具１をリーダー９３の周りに回転させることにより、メインライン９２は間隔を開けず密に巻き付けられる。
【００６１】
メインライン９２による締め付け力は、メインライン９２の強度が強い程、あるいはリーダー９３の直径が太い程、強くするようにする。メインライン９２による締め付け力は、釣具加工用具１に作用する遠心力によって発生するものであるから、釣具加工用具１の重量の増減、案内部４のスリット３２からの突出量の調整、釣具加工用具１の回転速度を増減させることによって、調整することができる。案内部４の調整については、アーム部３の案内部調整用ボルト３４を緩め、案内部４の位置を調整したのち案内部調整用ボルト３４を締めることにより容易に行なうことができる。
【００６２】
釣具加工用具１がリーダー後端部９３ａまで達したら巻き付けを終了する。巻き付け回数は、１５０回程度である。巻き付けた部分が解けないように手指で把持し、回転体２に残ったメインライン９２を引き抜いて外す。以下、従来と同様にメインライン９２端線は、リーダー後端部９３ａに対して、数回ハーフヒッチで編み付け、さらにメインライン９２にメインライン９２端線を１０回ほどハーフヒッチで編み付ける。メインライン９２端線とリーダー後端部９３ａの残余部分をカットして、ボビンノットは完成する。
【実施例２】
【００６３】
本発明の実施例２に係る釣具加工用具１について図６に従って説明する。実施例２に係る釣具加工用具１は、アーム部３が二股となっている点が実施例１と異なっている。実施例１と同一部分は同一符号を付して詳しい説明は省略する。
【００６４】
図６に示すように、アーム部３は二股となっている。アーム部３の自由端側には、支軸としてのボルト７１が貫通する透孔が穿設されている（図示せず）。支軸としてのボルト７１は、アーム部３と、制動環体５及び、回転体２の軸孔２６とを貫通する。ボルトの他端には調整部材としての蝶ナット７２が螺合している。調整部材としての蝶ナット７２を回転させることによって回転体２に対して離接して、回転体２と制動面５１との接触部分の圧力を増減させる。これにより、回転体２に生じる摩擦力が増減する。このため、回転体２の抵抗の強弱を容易に調整することができる。
【００６５】
図６に示すように、アーム部３の略中央部には案内部４が設けられる。案内部４を取り付ける部分にはチャッキング部７３が設けられており、案内部４はチャッキング部７３によって取り付けられている。案内部４のチャッキング部７３からの突出量を調整する場合はチャッキング部７３の締め付けネジ７４を緩め、案内部４の位置を調整したのち締め付けネジ７４を締めることにより行なう。
【００６６】
なお、実施の形態は上記に限定されるものではない。制動面５１は制動環体５に設けられなくてもよく、制動環体５を設けない場合には、アーム部３や調整部材６のうち、回転体２に接触する部分を制動面５１としてもよい。
【００６７】
釣具加工用具１の重量の増減は、回転体２の重量を増減させる手段の他、異なる重量の回転体２に交換するようにしてもよい。
【００６８】
回転体２の糸止め部２７は、環状の弾性部材２８を用いたものに限定されず、例えば、ワッシャを通したボルトを回転体２の巻付部２１に取り付けてもよい。この場合、ワッシャと巻付部２１との間に楔形状の空間が形成される。ボルトの周囲に釣用ラインを巻き付け、楔形状の空間に釣用ラインを挟持させて釣用ラインの先端部を係止する。
【００６９】
釣具加工用具１はボビンノットを作る場合に使用するだけでなく、それ以外の用途、例えばフライフィッシング用のフライを製作する場合に使用することもできることはいうまでもない。
【図面の簡単な説明】
【００７０】
【図１】本発明の実施例１に係る釣具加工用具１の正面図である。
【図２】釣具加工用具１の分解図である。
【図３】図１におけるＡ方向から見た側面図である。
【図４】回転体２の正面図及び、側面図である。
【図５】回転体２の巻付部２１にメインライン９２を巻き付けた状態の釣具加工用具１の正面図である。
【図６】本発明の実施例２に係る釣具加工用具１の正面図である。
【図７】メインライン９２の強度（号数）に対応する釣具加工用具１の重量、抵抗のおおよその目安を示す表である。
【図８】ボビン８１とボビンホルダー８２の正面図である。
【図９】メインライン９２を巻き付けたボビン８１とボビンホルダー８２の正面図である。
【図１０】ボビン８１とボビンホルダー８２を用いてボビンノットを作る手順を示す正面図である。
【図１１】ボビン８１とボビンホルダー８２を用いてボビンノットを作る手順を示す正面図である。
【図１２】ボビン８１とボビンホルダー８２を用いてボビンノットを作る手順を示す正面図である。
【図１３】ボビン８１とボビンホルダー８２を用いてボビンノットを作る手順を示す正面図である。
【符号の説明】
【００７１】
１      釣具加工用具
２      回転体
２１    巻付部
２２    摩擦面
２３    ウエイト収容空間
２４    開放端部
２５    ウエイト
２６    軸孔
２７    糸止め部
２８    環状の弾性部材
２９    滑り止め部
３      アーム部
３１    支軸
３２    スリット
３３    挿通部
３４    案内部調整用ボルト
４      案内部
４１    開口部
５      制動環体
５１    制動面
５２    貫通孔
６      調整部材
６１    ツマミ部
７１    支軸としてのボルト
７２    調整部材としての蝶ナット
７３    チャッキング部
７４    締め付けネジ
８１    ボビン
８２    ボビンホルダー
８３    導管
８４    アーム
９２    釣用ラインとしてのメインライン
９３    リーダー
９３ａ  リーダー後端部
【図１】
2006238739.tif 000003
【図２】
2006238739.tif 000004
【図３】
2006238739.tif 000005
【図４】
2006238739.tif 000006
【図５】
2006238739.tif 000007
【図６】
2006238739.tif 000008
【図７】
2006238739.tif 000009
【図８】
2006238739.tif 000010
【図９】
2006238739.tif 000011
【図１０】
2006238739.tif 000012
【図１１】
2006238739.tif 000013
【図１２】
2006238739.tif 000014
【図１３】
2006238739.tif 000015